(57)【要約】【課題】コンタクトガラス面に落下するゴミを排除し、原稿の擦れによる汚れの付着を防止することができる画像読取装置を提供する。【解決手段】下側の搬送ガイド板４に、コンタクトガラス７表面に気流吹き付けるノズルを構成するシート材１１を貼付ける。送風機３０が発生させた気流ａは、原稿搬送方向Ａと交差方向に延びたコンタクトガラス７とシート材１１で構成したスリット状の送風ノズル１２で絞られ、コンタクトガラス７表面に原稿搬送方向Ａの下流側へ流れる気流ｂとなる。コンタクトガラス７の表面は気流ｂで覆われ、原稿１が読取りセンサ６を通過する時に落すゴミを排除し、原稿１がコンタクトガラス７の表面を擦るのを防止する。原稿搬送方向Ａ下流の排紙ガイド板１０に、排気口１５を送風ノズル１２に対応させて規則的に設け、気流ｂが乱れる前に排気口１５から排出する。【選択図】図２
2008172563.tif 000002
【特許請求の範囲】
【請求項１】
原稿を透明部材面に沿わせて搬送しながらその画像を読み取る画像読取装置において、前記透明部材面に対して水平あるいはほぼ水平かつ原稿搬送下流方向に気流を吹き付ける気流吹き付け手段を設けてなることを特徴とする画像読取装置。
【請求項２】
請求項１の画像読取装置において、前記気流吹き付け手段が、気流方向制御手段と気流発生手段とからなり、前記気流方向制御手段が、原稿搬送方向に直交あるいはほぼ直交する方向に延在するシート材を含む細隙状ノズルであることを特徴とする画像読取装置。
【請求項３】
請求項２の画像読取装置において、前記シート材は弾性材からなり、その先端を前記透明部材面に押し当てて設けることを特徴とする画像読取装置。
【請求項４】
請求項３の画像読取装置において、前記シート材の先端が凹凸形状であることを特徴とする画像読取装置。
【請求項５】
請求項２から４のいずれかの画像読取装置において、前記気流発生手段が、回転軸が原稿搬送方向に交差する方向に伸びかつ円周上に配置された送風フィンを持つ回転体であることを特徴とする画像読取装置。
【請求項６】
請求項５の画像読取装置において、前記回転体を、前記装置本体が備える原稿搬送ローラと同一の駆動源で駆動することを特徴とする画像読取装置。
【請求項７】
請求項１から６のいずれかの画像読取装置において、前記コンタクトガラスの原稿搬送下流側に、原稿搬送方向に交差する方向に均等に分布させて排気口を設けたことを特徴とする画像読取装置。
【請求項８】
請求項１から７のいずれかの画像読取装置を備えてなることを特徴とする画像形成装置。
【発明の詳細な説明】
【技術分野】
【０００１】
本発明は、ＰＰＣ、スキャナ、ファクシミリ等、シートスルー方式で原稿を読み取るタイプの画像読取装置と、これを用いた画像形成装置に関する。
【背景技術】
【０００２】
図１に画像読取装置を備えた画像形成装置の従来の例を示す。図中、１は原稿、２は原稿テーブル、３はレジストローラ、４は搬送ガイド板、５はガイドマイラー、６は読取りセセンサ、７はコンタクトガラス、８は白色バックアップローラ、９は排紙ローラである。原稿１はレジストローラ３で先端位置合わせした後、搬送され搬送ガイド板４とガイドマイラー５を通ってコンタクトガラス７に到達する。
【０００３】
この時原稿１に付着たゴミがコンタクトガラス７上に落下したり、コンタクトガラス７の表面に擦り付けられて通過するため、コンタクトガラス７に異物が付着してしまい、そのため画像に黒スジや白スジとなって現れ、画像品質を低下させる原因となることがあった。これを防ぐためには頻繁にコンタクトガラス７の表面を拭くなどの清掃作業を行う必要があった。
【０００４】
なお、特許文献１には、読取り時にゴミを検出して、画像データから除去する手段を具備する技術が開示され、特許文献２には、やはりゴミ対策として、副走査方向のノイズを除去するようにした技術が開示されている。また特許文献３には、コンタクトガラスを圧電素子により振動させて、ゴミを除去する技術が開示され、特許文献４には、搬送方向上流側の設けたクリーニングローラで原稿面のゴミを除去する技術が開示されている。そして特許文献５には、原稿の搬送方向上流側の設けたクリーニングローラで原稿面のゴミを除去する技術が開示され、特許文献６には、読取り用照明ランプの冷却ファンの風をコンタクトガラス上に誘導して、ゴミを除去する技術が開示されている。
【０００５】
【特許文献１】特開２００５−２３８７０７号公報
【特許文献２】特開２００５−０６４９１３号公報
【特許文献３】特開２００５−２６４９１３号公報
【特許文献４】特開２００５−３１８４２７号公報
【特許文献５】特開２０００−３２７１５９号公報
【特許文献６】特開平１１−１１９３５５号公報
【発明の開示】
【発明が解決しようとする課題】
【０００６】
本発明は、コンタクトガラス面へのゴミ、汚れの付着を防止することで、黒すじ、白すじの異常画像の発生を防ぐことを目的とする。ことができる装置を提供することを目的とする。
【課題を解決するための手段】
【０００７】
本発明の画像読取装置のうち請求項１に係るものは、原稿を透明部材面に沿わせて搬送しながらその画像を読み取る画像読取装置において、前記透明部材面に対して水平あるいはほぼ水平かつ原稿搬送下流方向に気流を吹き付ける気流吹き付け手段を設けてなることを特徴とする。
【０００８】
請求項２に係るものは、請求項１の画像読取装置において、請求項１の画像読取装置において、前記気流吹き付け手段が、気流方向制御手段と気流発生手段とからなり、前記気流方向制御手段が、原稿搬送方向に直交あるいはほぼ直交する方向に延在するシート材を含む細隙状ノズルであることを特徴とする。
【０００９】
請求項３に係るものは、請求項２の画像読取装置において、前記シート材は弾性材からなり、その先端を前記透明部材面に押し当てて設けることを特徴とする。
【００１０】
請求項４に係るものは、請求項３の画像読取装置において、前記シート材の先端が凹凸形状であることを特徴とする。
【００１１】
請求項５に係るものは、請求項２から４のいずれかの画像読取装置において、前記気流発生手段が、回転軸が原稿搬送方向に交差する方向に伸びかつ円周上に配置された送風フィンを持つ回転体であることを特徴とする。
【００１２】
請求項６に係るものは、請求項５の画像読取装置において、前記回転体を、前記装置本体が備える原稿搬送ローラと同一の駆動源で駆動することを特徴とする。
【００１３】
請求項７に係るものは、請求項１から６のいずれかの画像読取装置において、前記コンタクトガラスの原稿搬送下流側に、原稿搬送方向に交差する方向に均等に分布させて排気口を設けたことを特徴とする。
【００１４】
請求項８に係る画像形成装置は、請求項１から７のいずれかの画像読取装置を備えてなることを特徴とする。
【発明の効果】
【００１５】
本発明は、コンタクトガラス面に、原稿搬送方向下流方向へ流れる気流を吹き付けることにより、原稿とコンタクトガラス面の間に空気層を形成してコンタクトガラス面に落下するゴミを排除し、原稿の擦れによる汚れの付着を防止することができる。
【発明を実施するための最良の形態】
【００１６】
以下、本発明の実施形態に関して、添付図面を参照して説明する。
【実施例１】
【００１７】
図２は本発明の第１の実施例を示す要部拡大断面図である。本実施例は、コンタクトガラス面へのゴミ、汚れの付着を防止することで、黒すじ、白すじの異常画像の発生を防ぐこと、及びコンタクトガラス表面に均等に薄い気流層を形成することにより、搬送原稿の挙動を妨げないようにするものである。
【００１８】
本実施例は、図２に示すように、気流方向制御手段として、下側の搬送ガイド板４に、コンタクトガラス７表面に気流吹き付けるノズルを構成するシート材１１を貼付けてある。気流ａは、原稿搬送方向Ａと直交あるいはほぼ直交する方向に延在するコンタクトガラス７とシート材１１で構成したスリット状の送風ノズル１２により絞られ、コンタクトガラス７の表面に原稿搬送方向（矢印Ａ）の上流側から下流側へ水平あるいはほぼ水平に流れる気流ｂとなる。コンタクトガラス７の表面はこの気流ｂの層で覆われ、原稿１が読取りセンサ６を通過する時に落すゴミを排除し、原稿１がコンタクトガラス７の表面を擦るのを防止することができる。
【００１９】
そして、コンタクトガラス７の原稿搬送方向Ａの下流の排紙ガイド板１０に、排気口１５を設けてある。排気口１５は送風ノズル１２に対応させて規則的に配設する。そしてコンタクトガラス７上を通過した気流ｂは、乱れる前に排気口１５から排出し、原稿１の挙動を妨げないようにしてある。排気口１５は、図示しないが、大きな開口であっても、分割した穴の連続配置によるものであってもいずれでも良い。
【００２０】
気流発生手段としては、コンタクトガラス７に対応する幅を有する送風機３０を設けてある。この送風機３０は、送風フィン３１を持ち回転軸３２を中心に図中矢印Ｂ方向に回転して、気流ａを発生させる回転体である。送風フィン３１は、同一の回転軸３２上であれば、複数の部品に分割配列したものでも良い。図示しないが、通常はコンタクトガラス７の左右の片側または中央に送風機を設け、ダクトで送風するが、全幅に渡って同等の気流圧を維持することができないので、上述のようにコンタクトガラス７の全幅に渡る送風機を配して、供給する風量を偏らせることなく、コンタクトガラス７の全幅にわたって均等に気流を供給することができるようにすることが好ましい。
【００２１】
なお、コンタクトガラス７の表面に、均一な薄い気流層が形成されるので、気流の影響による原稿１の波打ちや、搬送速度のばらつきといった、原稿搬送性能の低下を防止することもできる。
【実施例２】
【００２２】
図３は本発明の第２の実施例を示す要部拡大断面図である。本実施例は、スリット状ノズルから送風する気流を、より高圧で薄い気流層として、コンタクトガラス面へのゴミ、汚れの付着防止性能を向上させるものである。
【００２３】
本実施例は基本的な構成は図２の実施例と同様であるが、図３に示すように、下側の搬送ガイド板４に弾性シート材２０を貼付け、その先端をコンタクトガラス７の表面に押し当ててある。送風機３０が発生させた気流ｃは、コンタクトガラス７と弾性シート材２０で塞がれた送風口２１を風圧で押し開き、気流ｄを送風する。このため、気流ｄは圧力の高いものとなり、コンタクトガラス面へのゴミ、汚れの付着防止性能をより向上させることができる。
【００２４】
すなわち、スリット状のノズルを気流送風口として形成するべき弾性シート材２０がコンタクトガラス７の表面と接触して通常は閉じており、気流ｃを送風した時に押し開かれるため、より高圧で薄い気流層が形成され、コンタクトガラス面へのゴミ、汚れの付着防止性能が向上するのである。
【００２５】
なお、コンタクトガラス７のＡ原稿搬送方向下流の排紙ガイド板１０に設ける排気口１５は、先の実施例と同様に送風ノズル１２に対応させて規則的に配設する。また、原稿１の引っ掛かりを防ぐため、排紙ガイド板１０の原稿搬送方向Ａ下流側を下方へ折り下げて原稿ガイド１６を形成してある。
【実施例３】
【００２６】
図４は本発明の第３の実施例を示す要部拡大斜視図である。本実施例は、スリット状ノズルの送風口から、安定して気流を送風することを目的とするもので、図示のように、弾性シート材２２の先端を凹凸形状に形成し、気流ｅの圧力が弱くても、凹部から気流ｆが送風されるようにしてある。そのため、気流ｅの圧力や弾性シート材２２の弾性のばらつき等で気流送風口が断続的に開閉して気流排出が不安定になることを防止でき、均一な絞られた気流が送風されて、安定した送風性能を維持することができる。なお図示の実施例では、弾性シート材２２の先端でコンタクトガラス７の表面に接触する縁の形状の凹凸形状は波形であるが、この形状は凹凸が規則的に配列されていれば、どのような形状でも良い。
【００２７】
なおこの実施例では、形成された気流層を定常流のまま排出して、搬送原稿の挙動を妨げないようにするため、先の実施例と同様に紙ガイド板１０の原稿搬送方向Ａ下流側を下方へ折り下げて原稿ガイド１６を形成した排気口１７を分割した穴の形状として原稿搬送方向Ａに対して交差する方向に均等に分布させた連続配置としてある。
【実施例４】
【００２８】
図５は本発明の第４の実施例に係る画像読取装置を備えた画像形成装置の実施例の概略断面図である。本実施例は、原稿搬送動作に同期して、安価に気流を供給すること目的とするもので、図示のように、駆動モータ３３の動力は、駆動プーリ３４、レジストローラプーリ３５、排紙ローラプーリ３６にタイミングベルト３７を介して伝えている。送風機３０は、中継プーリ３８、中継ギヤ３９、送風機ギヤ４０を介して駆動されるようになっている。一般的には、軸流ファン、クロスフローファンを別の電源、制御で駆動するが、本実施例では、送風フィン３１を持つ送風機３０に原稿搬送駆動から動力を供給し、専用の動力源や動作制御を設けることなく、原稿搬送動作に同期して安価に気流を供給することができるようにしてある。
【００２９】
なお図示は省略するが、上述したいずれかの画像読取装置を備えて複写機等の画像形成装置を構成する場合、図１や図５に示したような構成に限定されることは無い。例えば上述の実施例ではコンタクトガラスを用いているが、これは上述した実施例においては、透明部材の一例としてガラスを用いたいわゆるコンタクトガラスを用いたもので、本発明はこれに限定されない。
【図面の簡単な説明】
【００３０】
【図１】画像読取装置を備えた画像形成装置の従来の例を示す概念的断面図
【図２】本発明の第１の実施例を示す要部拡大断面図
【図３】本発明の第２の実施例を示す要部拡大断面図
【図４】本発明の第３の実施例を示す要部拡大斜視図
【図５】本発明の第４の実施例に係る画像読取装置を備えた画像形成装置の実施例の概略断面図
【符号の説明】
【００３１】
１：原稿
２：原稿テーブル
３：レジストローラ
４：搬送ガイド板
５：ガイドマイラー
６：読取りセセンサ
７：コンタクトガラス
８：白色バックアップローラ
９：排紙ローラ
１１：ノズルを構成するシート材
１２：スリット状の送風ノズル
１０：排紙ガイド板
１５：排気口
１６：原稿ガイド
２０：弾性シート材
２１：送風口
２２：弾性シート材
３０：送風機
３１：送風フィン
３２：回転軸
３３：駆動モータ
３４：駆動プーリ
３５：レジストローラプーリ
３６：排紙ローラプーリ
３７：タイミングベルト
３８：中継プーリ
３９：中継ギヤ
４０：送風機ギヤ
ａ〜ｆ：気流
Ａ：原稿搬送方向
【図１】
2008172563.tif 000003
【図２】
2008172563.tif 000004
【図３】
2008172563.tif 000005
【図４】
2008172563.tif 000006
【図５】
2008172563.tif 000007